(57)【要約】  論理的オーバーライト（ＬＯＷ）の可能な追記型記録媒体は、媒体の所定領域に媒体がＬＯＷ記録モードで使われることを示すための記録管理情報フォーマットコードを含む記録管理データが記録される情報記録媒体である。これにより、本発明によれば、情報記録媒体にＬＯＷモードの登場によってＬＯＷモードを利用する媒体とＬＯＷモードを利用しない媒体とを区別することができる。
2008533640.tif 000002
【特許請求の範囲】
【請求項１】
論理的オーバーライト（ＬＯＷ）の可能な追記型記録媒体の記録管理のための記録管理情報フォーマットにおいて、
前記媒体がＬＯＷ記録モードで使われることを示すための記録管理情報フォーマットコードを含むことを特徴とする記録管理情報フォーマット。
【請求項２】
論理的オーバーライト（ＬＯＷ）の可能な追記型記録媒体の記録管理のための記録管理情報フォーマットにおいて、
前記媒体をＬＯＷ方式により記録するＬＯＷ記録モードを含んで前記媒体の記録モードを示すためのディスク状態情報フィールド、または
媒体を複数個のボーダーとして使用する場合、媒体上の各ボーダーに関する記録モードを示すための情報フィールドを含むことを特徴とする記録管理情報フォーマット。
【請求項３】
論理的オーバーライト（ＬＯＷ）による代替による代替ブロックの数、及び／または論理的オーバーライトによる代替に関する情報を示す代替リストの位置情報を含む代替リスト情報フィールド、
前記代替リストを保存する情報フィールドのうち少なくとも一つ以上をさらに含むことを特徴とする請求項２に記載の記録管理情報フォーマット。
【請求項４】
前記ボーダーに関する記録モードを示すための情報フィールドを含む場合には、前記媒体を複数の記録モードで使用するか否かを示すモード情報をさらに含むことを特徴とする請求項２に記載の記録管理情報フォーマット。
【請求項５】
論理的オーバーライト（ＬＯＷ）の可能な追記型記録媒体において、
前記媒体の所定領域に前記媒体がＬＯＷ記録モードで使われることを示すための記録管理情報フォーマットコードを含む記録管理データが記録されることを特徴とする追記型記録媒体。
【請求項６】
論理的オーバーライト（ＬＯＷ）の可能な追記型記録媒体において、
前記媒体をＬＯＷ方式により記録するＬＯＷ記録モードを含んで前記媒体の記録モードを示すためのディスク状態情報フィールド、または前記媒体を複数個のボーダーとして使用する場合、媒体上の各ボーダーに関する記録モードを示すための情報フィールドを含む記録管理データが前記媒体の所定領域に記録されることを特徴とする追記型記録媒体。
【請求項７】
論理的オーバーライト（ＬＯＷ）の可能な追記型記録媒体にデータを記録する方法において、
前記媒体の所定領域に前記媒体がＬＯＷ記録モードで使われることを示すための記録管理情報フォーマットコードを含む記録管理データを記録する段階を含むことを特徴とする記録方法。
【請求項８】
論理的オーバーライト（ＬＯＷ）の可能な追記型記録媒体にデータを記録する方法において、
前記媒体をＬＯＷ方式により記録するＬＯＷ記録モードを含んで前記媒体の記録モードを示すためのディスク状態情報フィールド、または前記媒体を複数個のボーダーとして使用する場合、媒体上の各ボーダーに関する記録モードを示すための情報フィールドを含む記録管理データを前記媒体の所定領域に記録する段階を含むことを特徴とする記録方法。
【請求項９】
論理的オーバーライト（ＬＯＷ）の可能な追記型記録媒体にデータを記録する装置において、
前記媒体にデータを記録する記録部と、
前記媒体の所定領域に前記媒体がＬＯＷ記録モードで使われることを示すための記録管理情報フォーマットコードを含む記録管理データを記録するように前記記録部を制御する制御部とを備えることを特徴とする記録装置。
【請求項１０】
論理的オーバーライト（ＬＯＷ）の可能な追記型記録媒体にデータを記録する装置において、
前記媒体にデータを記録する記録部と、
前記媒体をＬＯＷ方式により記録するＬＯＷ記録モードを含んで前記媒体の記録モードを示すためのディスク状態情報フィールド、または
媒体を複数個のボーダーとして使用する場合、媒体上の各ボーダーに関する記録モードを示すための情報フィールドを含む記録管理データを前記媒体の所定領域に記録するように前記記録部を制御する制御部と、を備えることを特徴とする記録装置。
【請求項１１】
前記制御部は、ユーザインターフェース、信号プロセッサ、ＲＦ増幅器、サーボ及びシステム制御器を含むことを特徴とする請求項１０に記載の記録装置。
【請求項１２】
ホストは、ユーザをして前記ユーザインターフェースを介して前記記録媒体のために使われた前記記録モードを決定させ、前記決定された記録モードを利用して前記ユーザインターフェースに記録媒体初期化命令を送ることを特徴とする請求項１１に記載の記録装置。
【請求項１３】
前記ユーザインターフェースは、前記ホストから前記記録媒体初期化命令を受信し、前記記録媒体を初期化するシステム制御器に前記記録媒体初期化命令を送ることを特徴とする請求項１２に記載の記録装置。
【請求項１４】
前記ディスクの各ボーダーを初期化する時、前記ホストは、ユーザをしてユーザインターフェースを介して各ボーダーの記録モードを決定させ、ボーダー初期化命令を伝送することを特徴とする請求項１１に記載の記録装置。
【請求項１５】
前記システム制御器は、前記ホストインターフェースから前記ボーダー初期化命令を受信し、前記ボーダーを初期化することを特徴とする請求項１４に記載の記録装置。
【請求項１６】
前記システム制御器は、前記ホストから受信され、各ボーダーのために利用される記録モード情報を利用して前記記録管理データを生成し、前記記録媒体の所定領域に前記記録管理データを記録するように前記記録及び／または読出し部を制御することを特徴とする請求項１４に記載の記録装置。
【請求項１７】
前記信号プロセッサは、前記ホストインターフェースから受信された前記記録管理データにエラー訂正のためのパリティデータを付加することを特徴とする請求項１４に記載の記録装置。
【請求項１８】
前記ＲＦ増幅器は、前記信号プロセッサから出力されたデータをＲＦ信号に変換することを特徴とする請求項１４に記載の記録装置。
【請求項１９】
前記システム制御器は、前記記録媒体がどの記録モードに設定されたのか、または前記記録媒体がマルチボーダー形態に使われる時、どの記録モードに各ボードが設定されたのかを検査し、前記各記録モードによって前記記録媒体に記録されたデータを読み出すか、または前記記録媒体にデータを記録するように前記書込み／読出し部を制御することを特徴とする請求項１１に記載の記録装置。
【請求項２０】
互いに異なる記録モードによるディスク状態情報を変えることによって、前記記録媒体が前記装置にローディングされる時、前記記録媒体により使われる記録モードが確認されることを特徴とする請求項１０に記載の記録装置。
【請求項２１】
コンピュータで読取り可能な記録媒体にデータを記録する方法を行う記録／再生装置に使用するための、論理的オーバーライトを行うコンピュータで読取り可能な記録媒体において、前記方法は、
前記記録媒体の所定領域に記録管理データを記録する段階を含み、
前記記録管理データは、論理的オーバーライト形態に前記記録媒体にデータが記録される論理的オーバーライト記録モードを含む記録媒体の記録モードを示すディスク状態情報フィールドと、前記記録媒体がマルチボーダー形態に使われる時、前記記録媒体上の各ボーダーのための記録モードを示す情報フィールドを含むことを特徴とするコンピュータで読取り可能な記録媒体。
【発明の詳細な説明】
【技術分野】
【０００１】
本発明は、ディスク分野に係り、さらに具体的には、記録モードを管理するための情報記録媒体、記録装置及び記録方法に関する。
【背景技術】
【０００２】
書換型情報記録媒体の場合、一般的に欠陥管理のためにデータ領域の一部にスペア領域を設ける。すなわち、ユーザデータ領域（データ領域でスペア領域を除外した領域）に／からユーザデータを記録／再生している間に欠陥を発見すれば、その欠陥データを代替するための代替データをスペア領域に記録する。
【０００３】
また、追記型情報記録媒体の場合には、このような欠陥管理方法が論理的オーバーライト（ＬＯＷ：Ｌｏｇｉｃａｌ  Ｏｖｅｒｗｒｉｔｅ）に利用される。“論理的オーバーライト”とは、追記型情報記録媒体に書換えが行われるように使用できるようにするための方法である。すなわち、ユーザデータ領域に既に記録されたデータを更新するために、まるでこの記録されたデータが欠陥データのように取り扱って、この記録されたデータを代替するためのデータをユーザデータ領域の未記録領域に記録しておくことである。これにより、ユーザデータ領域に記録されたデータの論理的なアドレスを固定しながら、この論理的なアドレスに対応する物理的なアドレスを代替データが記録されたアドレスとすることによって、ホストの立場では、まるでユーザデータ領域にあるデータがその同じ位置で再記録のみが行われたように感じさせ、管理を容易にする。これは、ホストが論理的なアドレスにのみ関与するためである。
【０００４】
以下、ＬＯＷによる代替を図面を参照して簡略に紹介する。
【０００５】
図１は、従来技術によるＬＯＷによる代替を説明するための参考図である。図１を参照するに、媒体上の物理的空間Ｐ１、Ｐ２、Ｐ３には、既にデータブロックＡ１、Ａ２、Ａ３が記録されている状態で、ホストがＡ１、Ａ２、Ａ３をＢ１、Ｂ２、Ｂ３にＬＯＷによりアップデートするために、元の位置Ｐ１、Ｐ２、Ｐ３に記録命令を下せば、ドライブシステムは、ＬＯＷによる代替によって媒体上のユーザデータ領域内にあるＰ４、Ｐ５、Ｐ６にＢ１、Ｂ２、Ｂ３をアップデートし、その代替された状態を示すためにＰ１、Ｐ２、Ｐ３がＰ４、Ｐ５、Ｐ６に代替された状態を示す代替エントリーを生成して管理する。
【０００６】
次に、ホストがデータＢ１、Ｂ２、Ｂ３を読み取るために元の位置に該当する論理アドレスに再生命令を下せば、ドライブシステムは、前記代替エントリーから媒体上のＰ４、Ｐ５、Ｐ６に記録されたデータを再生してホストに伝送する。
【０００７】
一方、従来のＤＶＤ−Ｒのような追記型情報記録媒体及びその装置は、データの記録のためにディスクのユーザデータ領域を一つまたは複数個のＲ−ゾーンに分け、それぞれのＲ−ゾーンで連続的に記録可能なＤｉｓｃ  ａｔ  ｏｎｃｅ（Ｒ−ゾーンが一つである場合）、またはＳｅｑｕｅｎｔｉａｌ  Ｒｅｃｏｒｄｉｎｇ  ｍｏｄｅでディスクを使用した。
【０００８】
高密度化によって、１５ＧＢから２５ＧＢまでの高密度ディスクが登場している。このような高密度の追記型情報記録媒体には、記録可能容量の増加によって、従来のような順次記録モード（Ｓｅｑｕｅｎｔｉａｌ  Ｒｅｃｏｒｄｉｎｇ  ｍｏｄｅ）でディスクを使用することだけでなく、ＬＯＷのような方法によってまるで書換型媒体のように使用しようとする試みが行われている。
【０００９】
したがって、従来の追記型情報記録媒体にＬＯＷのような新たな記録方法の出現によって、互いに異なる記録方法によりディスクを使用する時に、これを区別する必要性が生じる。
【発明の開示】
【発明が解決しようとする課題】
【００１０】
本発明は、前記ような問題点を解決して、ＬＯＷモードで使われるディスクとＬＯＷモードで使われないディスクとを区別できる情報記録媒体、記録装置及び記録方法を提供することを目的とする。
【課題を解決するための手段】
【００１１】
前記のような課題を解決するための本発明の一つの特徴は、論理的オーバーライト（ＬＯＷ）の可能な追記型記録媒体の記録管理のための記録管理情報フォーマットにおいて、前記媒体がＬＯＷ記録モードで使われることを示すための記録管理情報フォーマットコードを含むことである。
【００１２】
本発明の他の特徴は、論理的オーバーライト（ＬＯＷ）の可能な追記型記録媒体の記録管理のための記録管理情報フォーマットにおいて、前記媒体をＬＯＷ方式により記録するＬＯＷ記録モードを含んで前記媒体の記録モードを示すためのディスク状態情報フィールド、または媒体を複数個のボーダーとして使用する場合、媒体上の各ボーダーに関する記録モードを示すための情報フィールドを含むことである。
【００１３】
前記記録管理情報フォーマットは、論理的オーバーライト（ＬＯＷ）による代替による代替ブロックの数及び／または論理的オーバーライトによる代替に関する情報を示す代替リストの位置情報を含む代替リスト情報フィールド、前記代替リストを保存する情報フィールドのうち少なくとも一つ以上をさらに含むことが望ましい。
【００１４】
また前記記録管理情報フォーマットは、前記ボーダーに関する記録モードを示すための情報フィールドを含む場合には、前記媒体を複数の記録モードで使用するか否かを示すモード情報をさらに含むことが望ましい。
【００１５】
本発明のさらに他の特徴は、論理的オーバーライト（ＬＯＷ）の可能な追記型記録媒体において、前記媒体の所定領域に前記媒体がＬＯＷ記録モードで使われることを示すための記録管理情報フォーマットコードを含む記録管理データが記録されることである。
【００１６】
本発明のさらに他の特徴は、論理的オーバーライト（ＬＯＷ）の可能な追記型記録媒体において、前記媒体をＬＯＷ方式により記録するＬＯＷ記録モードを含んで前記媒体の記録モードを示すためのディスク状態情報フィールド、または前記媒体を複数個のボーダーとして使用する場合、媒体上の各ボーダーに関する記録モードを示すための情報フィールドを含む記録管理データが前記媒体の所定領域に記録されることである。
【００１７】
本発明のさらに他の特徴は、論理的オーバーライト（ＬＯＷ）の可能な追記型記録媒体にデータを記録する方法において、前記媒体の所定領域に前記媒体がＬＯＷ記録モードで使われることを示すための記録管理情報フォーマットコードを含む記録管理データを記録する段階を含むことである。
【００１８】
本発明のさらに他の特徴は、論理的オーバーライト（ＬＯＷ）の可能な追記型記録媒体にデータを記録する方法において、前記媒体をＬＯＷ方式により記録するＬＯＷ記録モードを含んで前記媒体の記録モードを示すためのディスク状態情報フィールド、または前記媒体を複数個のボーダーとして使用する場合、媒体上の各ボーダーに関する記録モードを示すための情報フィールドを含む記録管理データを前記媒体の所定領域に記録する段階を含むことである。
【００１９】
本発明のさらに他の特徴は、論理的オーバーライト（ＬＯＷ）の可能な追記型記録媒体にデータを記録する装置において、前記媒体にデータを記録する記録部と、前記媒体の所定領域に前記媒体がＬＯＷ記録モードで使われることを示すための記録管理情報フォーマットコードを含む記録管理データを記録するように前記記録部を制御する制御部とを備えることである。
【００２０】
本発明のさらに他の特徴は、論理的オーバーライト（ＬＯＷ）の可能な追記型記録媒体にデータを記録する装置において、前記媒体にデータを記録する記録部と、前記媒体をＬＯＷ方式により記録するＬＯＷ記録モードを含んで前記媒体の記録モードを示すためのディスク状態情報フィールド、または媒体を複数個のボーダーとして使用する場合、媒体上の各ボーダーに関する記録モードを示すための情報フィールドを含む記録管理データを前記媒体の所定領域に記録するように前記記録部を制御する制御部とを備えることである。
【発明の効果】
【００２１】
本発明によれば、情報記録媒体にＬＯＷモードの登場によって、ＬＯＷモードを利用する媒体とＬＯＷモードを利用しない媒体とを区別することができる。また、媒体に適用する記録モードを媒体の初期化時に、または各ボーダーの初期化時にユーザをして決定させることによって、媒体の活用性を向上させることができる。
【発明を実施するための最良の形態】
【００２２】
以下、添付された図面を参照して本発明を詳細に説明する。
【００２３】
図２は、本発明による記録／再生装置の概略図である。図２を参照するに、本発明による記録／再生装置２００は、記録または再生の可能な装置であって、書込み／読出し部２２０及び制御部２１０を備える。書込み／読出し部２２０は、制御部２１０の制御によって、本発明による情報記録媒体のディスク４００に／からデータを書込み／読出しする。制御部２１０は、本発明によってデータを所定の記録単位ブロックに記録するように書込み／読出し部２２０を制御するか、または書込み／読出し部２２０により読み出されたデータを処理して有効なデータを得る。
【００２４】
特に、本発明によって制御部２１０は、ディスク４００を使用するための初期化時に、このディスク４００に適用される記録モードに関する情報が含まれた記録管理データをディスク４００の所定領域に記録するように書込み／読出し部２２０を制御する。
【００２５】
また、制御部２１０は、ディスク４００をマルチボーダー形態に使用する場合、各ボーダーの初期化時にこのボーダーに適用される記録モードに関する情報が含まれた記録管理データをディスク４００の所定領域に記録するように書込み／読出し部２２０を制御する。
【００２６】
もし、この記録／再生装置がディスク製造時の記録装置に利用されるならば、制御部２１０は、ディスク４００の製造時点にこのディスク４００に適用される記録モードに関する情報が含まれた記録管理データをディスク４００の所定領域に記録するように書込み／読出し部２２０を制御する。
【００２７】
図３は、図２に示す記録／再生装置構成の細部的なブロック図である。図３を参照するに、ディスクドライブは、書込み／読出し部２２０としてピックアップを備える。ディスク４００は、ピックアップに装着されている。また、ディスクドライブは、制御部２１０としてホストＩ／Ｆ  ２１１、ＤＳＰ  ２１２、ＲＦ  ＡＭＰ２１３、サーボ２１４、及びシステム制御器２１５を備える。
【００２８】
ディスク４００の初期化時にホスト２４０は、ユーザインターフェースなどを介してユーザをしてこのディスクに使われる記録モードを決定させ、決定された記録モードを利用してディスク４００の初期化命令をホストＩ／Ｆ  ２１１に伝送する。この時、ユーザは、このディスク４００をＬＯＷモードで使用するか、あるいはその他の記録モードで使用するかを決定する。
【００２９】
ホストＩ／Ｆ  ２１１は、ホスト２４０からディスク初期化命令を受信し、これをシステム制御器２１５に伝送する。
【００３０】
システム制御器２１５は、前記ホストＩ／Ｆ  ２１１から初期化命令を受信して、ディスク初期化を行う。
【００３１】
システム制御器２１５は、特に本発明によって、ホスト２４０から受信された記録モード情報を利用して記録管理データを生成し、このような記録管理データをディスク４００の所定領域に記録するように書込み／読出し部２２０を制御する。
【００３２】
ディスク４００が初期化される場合だけでなく、使用中である場合でもこのディスク４００をマルチボーダーとして使用する場合には、各ボーダーの開始時に各ボーダーを初期化できる。
【００３３】
すなわち、ディスク４００の各ボーダーの初期化時にホスト２４０は、ユーザインターフェースなどを介してユーザをしてこのボーダーに使われる記録モードを決定させ、決定された記録モードを利用してボーダー初期化命令をホストＩ／Ｆ  ２１１に伝送する。この時にもユーザは、このボーダーをＬＯＷモードで使用するか、またはＬＯＷモード以外の他の記録モードで使用するかを決定する。記録モードを決定しない場合には、記録管理データに記録モードが決定されていないことを示すために“ｅｍｐｔｙ”を表示できる。
【００３４】
ホストＩ／Ｆ  ２１１は、ホスト２４０からボーダー初期化命令を受信し、これをシステム制御器２１５に伝送する。
【００３５】
システム制御器２１５は、前記ホストＩ／Ｆ  ２１１からボーダー初期化命令を受信して、ボーダー初期化を行う。システム制御器２１５は、特に本発明によって、ホスト２４０から受信されたボーダーに適用される記録モード情報を利用して記録管理データを生成し、このような記録管理データをディスク４００の所定領域に記録するように書込み／読出し部２２０を制御する。
【００３６】
ＤＳＰ  ２１２は、ホストＩ／Ｆ  ２１１から受けた記録するデータを、エラー訂正のためにパリティなど付加データを添加し、ＥＣＣエンコーディングを行って、エラー訂正ブロックであるＥＣＣブロックを生成した後、これを既定の方式で変調する。ＲＦ  ＡＭＰ２１３は、ＤＳＰ  ２１２から出力されたデータをＲＦ信号に変える。ピックアップ２５０は、ＲＦ  ＡＭＰ２１３から出力されたＲＦ信号をディスク２３０に記録する。サーボ２１４は、システム制御器２１５からサーボ制御に必要な命令を入力されてピックアップ２５０をサーボ制御する。
【００３７】
再生時、ホストＩ／Ｆ  ２１１は、ホスト２４０から再生命令を受ける。システム制御器２１５は、再生に必要な初期化を行う。
【００３８】
本発明によって、システム制御器２１５は、ディスク４００の所定領域に記録された記録管理データを読み出すように書込み／読出し部２２０を制御する。そして、このような記録管理データからシステム制御器２１５は、このディスク４００の全体がどの記録モードで使われているか、またはディスク４００がマルチボーダーとして利用される場合、各ボーダーがどの記録モードで使われているかを確認して、各記録モードに基づいてディスク４００に記録されたデータを読み出すか、ディスク４００にデータを記録するように書込み／読出し部２２０を制御する。
【００３９】
ピックアップは、ディスク４００にレーザービームを照射し、ディスク４００から反射されたレーザービームを受光して得られた光信号を出力する。ＲＦ
ＡＭＰ２１３は、ピックアップから出力された光信号をＲＦ信号に変え、ＲＦ信号から得られた変調されたデータをＤＳＰ ２１２に提供する一方、ＲＦ信号から得られた制御のためのサーボ信号をサーボ２１４に提供する。ＤＳＰ
２１２は、変調されたデータを復調し、ＥＣＣエラー訂正を経て得られたデータを出力する。
【００４０】
一方、サーボ２１４は、ＲＦ ＡＭＰ２１３から受けたサーボ信号とシステム制御器２１５から受けたサーボ制御に必要な命令とを受け取り、ピックアップに対するサーボ制御を行う。ホストＩ／Ｆ
２１１は、ＤＳＰ ２１２から受けたデータをホスト２４０に送る。
【００４１】
本発明によって具体的にＬＯＷで使われるディスクとそうでないディスクとの区別のための初期化方法を説明する前に、本発明に適用されうる情報記録媒体の一例を図４ないし図５を参照して紹介する。
【００４２】
図４は、本発明が適用される情報記録媒体のマルチボーダーの概念を説明するための情報記録媒体の一例による構造図を示す。図４を参照するに、情報記録媒体４００は、大きくＲ−情報領域４１０と情報領域４２０とを備える。
【００４３】
Ｒ−情報領域４１０は、この媒体に適したパワーを得るために、パワーを調整してテストするように設けられたパワー調整領域（Ｐｏｗｅｒ  Ｃａｌｉｂｒａｔｉｏｎ  Ａｒｅａ：ＰＣＡ）４１１と、媒体上の記録と関連した情報を含んでいる記録管理データ（ＲＭＤ）を記録するための記録管理領域（Ｒｅｃｏｒｄｉｎｇ  Ｍａｎａｇｅｍｅｎｔ  Ａｒｅａ：ＲＭＡ）４１２とを備える。
【００４４】
情報領域４２０は、媒体の内周側に位置したリードイン４２１と、ユーザデータが記録できるデータ領域４２２と、媒体の外周側に位置したリードアウト領域４２３とを備える。
【００４５】
データ領域４２２は、ユーザデータを記録するための領域であって、シングルボーダーまたはマルチボーダーとして使われうる。シングルボーダーは、データ領域４２２を一つのボーダーとして使用することを言い、マルチボーダーは、データ領域４２２を複数個のボーダーとして使用することを言う。図４には、データ領域４２２をマルチボーダーとして使用する場合の例を示した。図４を参照するに、最初のレコーディング４３０では、Ｂｏｒｄｅｒｅｄ  Ａｒｅａ４３１だけの領域にデータが記録され、このボーダーをクロージングするために、Ｂｏｒｄｅｒ−ｏｕｔ４３２が生成されて第１ボーダーが作られる。二番目のレコーディング４４０では、Ｂｏｒｄｅｒ−ｉｎ４４１から始まってＢｏｒｄｅｒｅｄ  Ａｒｅａ４４２にデータが記録され、このボーダーをクロージングするために、Ｂｏｒｄｅｒ−ｏｕｔ４４３が生成されて第２ボーダーが作られる。三番目のレコーディング４５０では、Ｂｏｒｄｅｒ−ｉｎ４５１から始まってＢｏｒｄｅｒｅｄ  Ａｒｅａ４５２にデータが記録され、このボーダーをクロージングするために、Ｂｏｒｄｅｒ−ｏｕｔ４５３が生成されて第３ボーダーが作られる。このようなボーダーは、当初に複数個で構成して複数個のボーダーそれぞれを同時に使用してもよく、また、特定のレコーディング時点では、一つの現在のボーダーのみがオープンされた状態で使用し、レコーディングの終了時に現在のボーダーをクロージングしてから次のボーダーをオーブンして、次のレコーディングでは、次のボーダーを使用するように具現されてもよい。
【００４６】
ボーダーアウトとボーダーインとからなる領域をボーダーゾーンという。
【００４７】
図４に示す情報記録媒体の構造は、本発明が適用されうる情報記録媒体の構造の一例を示すものであり、本発明が必ずしも図４に示す構造にのみ適用されると限定するものではない。本発明が適用されうる情報記録媒体の構造は、多様な変更が可能である。
【００４８】
図５は、本発明が適用される情報記録媒体の記録管理領域（ＲＭＡ）の構造を説明するための構造図の一例を示す。図５を参照するに、記録管理領域（ＲＭＡ）４１２には、ＲＭＤを記録するために最初の部分にＲＭＡリードイン５１０が設けられ、以後の領域から一つ以上のＲＭＤが記録される。図５では、１ｓｔ  ＲＭＤ  ５２０と２ｎｄ  ＲＭＤ  ５３０とが示されている。
【００４９】
各ＲＭＤは、複数個のＲＭＤフィールドで構成される。例えば、１ｓｔ  ＲＭＤ  ５２０は、ＲＭＤフィールド０  ５２１とＲＭＤフィールド１  ５２２と、．．．ＲＭＤフィールドｎ  ５２３とを含む。ここで、一つのＲＭＤに含まれるＲＭＤフィールドの数、すなわち、“ｎ”は多様に決定されうる。
【００５０】
本発明によって、ＬＯＷモードで使われるディスクとそうでないディスクとを区別する初期化方法として、ディスク製造時に区別する方法と、ディスク初期化時に区別する方法と、ディスクをマルチボーダーとして使用する場合、各ボーダーの初期化時に区別する方法とを提案する。
【００５１】
ディスク製造時に区別する方法
一般的に、追記型情報記録媒体は、ディスク製造時にディスクの内側領域の予め記録された領域にディスク関連情報を保存して製造される。このようなディスク関連情報は、一般的にディスク使用中にも変わらないディスク固有の情報である。
【００５２】
したがって、ディスク製造時、前記ＬＯＷモード及びＬＯＷモードではないモードの異なる記録方式による混乱を解決するために、各モードごとにディスクのバージョンを異ならせるか、または、このディスクは、順次記録モード（Ｓｅｑｕｅｎｔｉａｌ  Ｒｅｃｏｒｄｉｎｇ  ｍｏｄｅ）のみで使用するか、あるいはＬＯＷモードのみで使用しなければならないという情報をディスク製造時にディスクの所定領域に保存することによって、前記互いに異なる記録方式によるディスクを区別することができる。
【００５３】
ディスクの初期化時に区別する方法
ディスク製造時に各ディスクに対する記録モードを決定してディスクを作る方法は、ディスクによって記録方式に制約を設ける面を有する。ユーザをしてディスク使用のための初期化時点に記録方式を選択して使用させれば、ディスクの使用の幅を広くするこができる。順次記録モード（Ｓｅｑｕｅｎｔｉａｌ  Ｒｅｃｏｒｄｉｎｇ  ｍｏｄｅ）またはＬＯＷモードは、論理的な記録方式の差があるだけで、ディスク自体の変化は必要ないため、同じディスクで順次記録モード（Ｓｅｑｕｅｎｔｉａｌ  Ｒｅｃｏｒｄｉｎｇ  ｍｏｄｅ）でも使われ、ＬＯＷモードでも使われうる。
【００５４】
したがって、本発明は、ディスク使用の初期時点にユーザが記録方式を選択できるようにする初期化過程を提供する。
【００５５】
ディスクを使用するための初期化時点で、ユーザがこの空ディスクに適用しようとする記録モードを決定すれば、ドライブシステムは、ユーザにより決定された記録モードによる記録管理データを生成して、これを記録管理データを記録するための記録管理領域に記録する。
【００５６】
図６は、本発明の一例によってディスクの製造時点や使用のための初期化時点にディスク使用のための記録方式がＬＯＷモードに決定され、今後ディスクが最終化されるまでその記録方式が変わらない場合のＲＭＤフォーマットを示す。ＲＭＤフォーマットは、一つ以上のＲＭＤフィールドを含み、それぞれのＲＭＤフィールドは、ＲＭＤフィールドの特性に合う情報フィールドを含む。
【００５７】
図６を参照するに、ＲＭＤ６００においてＲＭＤフィールド０は、一般情報に関するＲＭＤフィールド６１０を示し、ＲＭＤフィールド１は、Ｒ−ゾーン情報に関するＲＭＤフィールド６２０を示し、ＲＭＤフィールド２は、Ｒ−ゾーン情報に関するＲＭＤフィールド６３０を示す。
【００５８】
一般情報に関するＲＭＤフィールド６１０は、ＬＯＷモード用のＲＭＤフォーマットコード６１１と、ＬＯＷモードを示すディスク状態６１２と、代替リスト（ＲＰＬ）のための情報フィールド６１３とを含む。
【００５９】
ＬＯＷモード用のＲＭＤフォーマットコード６１１は、前記ＲＭＤフォーマットが他の記録モードによるＲＭＤフォーマットコードとの区別のために、ＬＯＷ記録モードのための特定のＲＭＤフォーマットコード値を含むことが望ましい。
【００６０】
ＬＯＷ記録モードを示すために、ディスク状態は、ＬＯＷモードを示すディスク状態６１２に設定される。
【００６１】
ＬＯＷ記録モードを含んでこのディスクに適用される他の記録モードを表示するために、次のような情報を示すための状態情報または値に設定されうる。
【００６２】
−Ｔｏ  ｉｎｄｉｃａｔｅ  ｔｈａｔ  ｔｈｅ  ｄｉｓｃ  ｉｓ  ｉｎ  ＬＯＷ  ｍｏｄｅ
このディスクが、ＬＯＷモードで使われるということを示すための状態情報を示す。
【００６３】
−Ｔｏ  ｉｎｄｉｃａｔｅ  ｔｈａｔ  ｔｈｅ  ｄｉｓｃ  ｉｓ  ｎｏｔ  ｉｎ  ＬＯＷ  ｍｏｄｅ
このディスクが、ＬＯＷモードで使われないということを示すための状態情報を示す。ここで、“Ｔｏ  ｉｎｄｉｃａｔｅ  ｔｈａｔ  ｔｈｅ  ｄｉｓｃ  ｉｓ  ｎｏｔ  ｉｎ  ＬＯＷ  ｍｏｄｅ”は、ＤＶＤ−ＲのＲＭＤフォーマットのＲＭＤフィールド０のディスク状態のように、Ｄｉｓｃ  ａｔ  ｏｎｃｅモードで使用中であるか、順次記録モード（Ｓｅｑｕｅｎｔｉａｌ  Ｒｅｃｏｒｄｉｎｇ  ｍｏｄｅ）で使用中であるかを示すための情報として使用されることもある。
【００６４】
もし、ＬＯＷのための記録モードでディスクが初期化される場合、ＲＭＡの使用可能な一番目の領域に記録されたＲＭＤフォーマット内の一般的な情報のためのＲＭＤフィールドの“ディスク状態”は、このディスクがＬＯＷによる記録モードに初期化され、またＬＯＷによる記録モードで使われるということを示すために、“Ｔｏ  ｉｎｄｉｃａｔｅ  ｔｈａｔ  ｔｈｅ  ｄｉｓｃ  ｉｓ  ｉｎ  ＬＯＷ  ｍｏｄｅ”値に設定される。
【００６５】
代替リスト（ＲＰＬ）のための情報フィールド６１３は、代替リストに関する情報を含んでいるフィールドを示し、ＬＯＷによる代替リスト（ＲＰＬ）の記録された位置情報または追加的に使用されたか、または使用中であるＲＰＬブロックの数情報を含むことが望ましい。代替リスト（ＲＰＬ）は、ＬＯＷによる代替に関する情報を含んでいるリストを言う。例えば、代替リストは、ＬＯＷによる代替によるオリジナルブロックに関する情報とＬＯＷによる代替による代替ブロックに関する情報とを含みうる。
【００６６】
また、図６に図示していないが、ＬＯＷのためのＲＭＤフォーマットに追加的に代替リスト（ＲＰＬ）自体が記録される空間を含むことも可能である。
【００６７】
このように、互いに異なる記録モードによってＲＭＤフォーマットのディスク状態情報を異ならせることで、ディスクがローディングされた時に、このディスクがどの記録モードで使われているか、または使われるかが分かる。また、ディスク初期化時にディスクの記録モードが決定される方法は、媒体がシングルボーダーとして使われる場合、またはマルチボーダーとして使われても初期化時点に記録モードが決定されれば、今後変更が不可能である。
【００６８】
マルチボーダーの各ボーダーの初期化時に区別する方法
ディスクがマルチボーダーとして使われ、各ボーダーの初期化時に各ボーダーに適用される記録モードを決定して、各ボーダーに使われる記録モードを区別できる。このために、ＲＭＤフォーマットは、ボーダーに関する状態情報を示すために、上のディスク状態と同様にボーダーのためのボーダー状態を含むことが望ましい。
【００６９】
使用しようとするボーダーの開始時点でそのボーダーに適用される記録モードを決定することが望ましい。また、ボーダーに対して決定された記録モードに関する情報の含まれたＲＭＤが、ＲＭＡの次の記録可能領域に記録されることが望ましい。また、もし媒体上に同時に使用できるボーダーが一つ以上存在するならば、同時に使用できるボーダーの数ほどボーダー状態情報は必要となる。
【００７０】
図７は、本発明の他の例によってボーダー初期化時に記録モードを決定し、決定された記録モードを示すためのＲＭＤフォーマットを示す。図７を参照するに、ＲＭＤ７００においてＲＭＤフィールド０は、一般情報に関するＲＭＤフィールド７１０を示し、ＲＭＤフィールド１は、Ｒ−ゾーン情報に関するＲＭＤフィールド７２０を示し、ＲＭＤフィールド２は、Ｒ−ゾーン情報に関するＲＭＤフィールド７３０を示す。
【００７１】
一般情報に関するＲＭＤフィールド７１０は、マルチ記録モード用のＲＭＤフォーマットコード７１１と、現在のボーダーがどの記録モードであるかを示すボーダー状態７１２と、代替リスト（ＲＰＬ）のための情報フィールド７１３と、記録モードヒストリーのための情報フィールド７１４とを含む。
【００７２】
マルチ記録モード用のＲＭＤフォーマットコード７１１は、ディスクが複数個の記録モードで使用可能であることによって、他の記録モードによるＲＭＤフォーマットコードとの区別のための、マルチ記録モードのための特定のＲＭＤフォーマットコード値を有することが望ましい。
【００７３】
ボーダー状態７１２は、このディスクの現在のボーダーがどの記録モードであるかを示すためのものであり、例えば、次のような状態情報を有しうる。
【００７４】
−Ｔｏ  ｉｎｄｉｃａｔｅ  ｔｈａｔ  ｃｕｒｒｅｎｔ  ｂｏｒｄｅｒ  ｉｓ  ｅｍｐｔｙ
このボーダーに使われる記録モードがまだ決定されておらず、このボーダーは空であることを示すための状態情報を言う。
【００７５】
−Ｔｏ  ｉｎｄｉｃａｔｅ  ｔｈａｔ  ｃｕｒｒｅｎｔ  ｂｏｒｄｅｒ  ｉｓ  ｎｏｔ  ｉｎ  ＬＯＷ  ｍｏｄｅ
このボーダーが、ＬＯＷモードではない他の記録モードで使われることを示すための状態情報を言う。前記“Ｔｏ  ｉｎｄｉｃａｔｅ  ｔｈａｔ  ｃｕｒｒｅｎｔ  ｂｏｒｄｅｒ  ｉｓ  ｎｏｔ  ｉｎ  ＬＯＷ  ｍｏｄｅ”は、記録モードがＬＯＷモードと順次記録モード（Ｓｅｑｕｅｎｔｉａｌ  Ｒｅｃｏｒｄｉｎｇ  ｍｏｄｅ）との２種類があるならば、前記情報は、順次記録モードを示す。
【００７６】
−Ｔｏ  ｉｎｄｉｃａｔｅ  ｔｈａｔ  ｃｕｒｒｅｎｔ  ｂｏｒｄｅｒ  ｉｓ  ｉｎ  ＬＯＷ  ｍｏｄｅ
このボーダーが、ＬＯＷモードで使われることを示すための状態情報を言う。
【００７７】
代替リスト（ＲＰＬ）のための情報フィールド７１３は、このボーダーがＬＯＷ記録モードで使われる場合のために、代替リスト（ＲＰＬ）の記録された位置情報、または追加的に使われたか、または使用中である代替ブロックの数情報を含むことが望ましい。
【００７８】
記録モードヒストリーのための情報フィールド７１４は、このディスクに使用されてきたそれぞれのボーダーに関する記録モード、あるいはＬＯＷモードが使われたことがあるか否かを示す記録モードに関する履歴情報を示す。
【００７９】
図８は、図７に示す例に適用されるＲＭＤの記録の一例を示す。図８を参照するに、ＲＭＡ４１２には、１ｓｔ  ＲＭＤ  ８１０と２ｎｄ  ＲＭＤ  ８２０とが記録されている。
【００８０】
１ｓｔ  ＲＭＤ  ８１０の一般情報に関するＲＭＤフィールド８１１には、マルチ記録用のＲＭＤフォーマットコード８１２と、現在のボーダーがＬＯＷ記録モードで使われるということを示すためのボーダー状態情報８１３とを含む。
【００８１】
２ｎｄ  ＲＭＤ  ８２０の一般情報に関するＲＭＤフィールド８２１には、マルチ記録用のＲＭＤフォーマットコード８２２と、現在のボーダーがＬＯＷモードではないことを示すためのボーダー状態情報８２３と、記録モードに関する履歴情報８２４として１ｓｔボーダーがＬＯＷモードで使われたことを示す情報とを含む。
【００８２】
図９は、図７に示す例に適用されるＲＭＤの記録の他の例であり、ＲＭＤフォーマット内にそれぞれのボーダーの状態情報のためのＲＭＤフィールドを追加して設ける例を示す。図９を参照するに、ＲＭＡ４１２には、１ｓｔ  ＲＭＤ  ９１０と２ｎｄ  ＲＭＤ  ９２０とが記録されている。
【００８３】
１ｓｔ  ＲＭＤ  ９１０のＲＭＤフィールド０  ９１１には、マルチ記録用のＲＭＤフォーマットコード９１２と、１ｓｔボーダーがＬＯＷ記録モードで使われるということを示すためのボーダー状態情報９１３とを含む。
【００８４】
２ｎｄ  ＲＭＤ  ９２０には、ＲＭＤフィールド１  ９２２がさらに追加され、ＲＭＤフィールド１  ９２２には、２ｎｄボーダーがＬＯＷモードで使われないというボーダー状態９２３を含む。
【００８５】
すなわち、ディスク状態がディスクについての状態情報を示すように、ＲＭＤフィールド内のそれぞれのボーダーの状態情報は、それぞれのボーダーがｅｍｐｔｙ状態であるか否か、どの記録モードで使用しているか（使用中であるボーダーの場合）、または使われたのか（閉じられたボーダーの場合）を示すことが望ましい。もちろんディスク上にある全てのボーダーに対するそれぞれのボーダーの状態情報を示すことが望ましい。
【００８６】
図示していないが、前記図７のＬＯＷのためのＲＭＤフォーマットに追加的に代替リスト（ＲＰＬ）が記録される空間を含むことも可能である。ＤＶＤ−Ｒの場合、ＲＭＤのサイズは、１ブロック（１６ｓｅｃｔｏｒｓ）であるが、もし記録／再生単位ブロックが３２ｓｅｃｔｏｒからなる場合、ＲＭＤのサイズは、３２ｓｅｃｔｏｒで構成されることが望ましい。しかし、ＲＭＤフォーマットが代替リスト（ＲＰＬ）のための領域を含む場合、ＲＭＤのサイズは、複数個の記録／単位ブロックで構成されることも可能である。
【００８７】
図１０は、本発明によって記録モード情報をディスクの製造時に記録する方法の一例を示すフローチャートである。
【００８８】
ディスク製造時にディスクをＬＯＷ記録モードで使用するか否かを決定する（１０００）。これは、製造業者によって決定され、ユーザは、以後ディスクの記録モードを変更できない。
【００８９】
決定された記録モードをディスクの所定領域に保存してディスクを製造する（１０１０）。
【００９０】
図１１は、本発明によって記録モード情報をディスク初期化時に記録する方法を示すフローチャートである。
【００９１】
データを記録しようとする空ディスクがドライブにローディングされる（１１００）。
【００９２】
ホストでローディングされたディスクの記録モードを決定する（１１１０）。ユーザは、ホストが提供する多様なインターフェースを介してこのディスクに使用しようとする記録モードを決定する。
【００９３】
ホストは、決定された記録モードによる初期化命令をドライブに伝送する（１１２０）。
【００９４】
次に、ドライブは、決定された記録モードによって記録管理データ（ＲＭＤ）を生成する（１１３０）。ディスクの初期化時または製造時に記録モードが決定されることを示す記録管理データの例は、図６を参照して説明した。
【００９５】
その後、ドライブは、ディスクに設けられた記録管理領域（ＲＭＡ）のＲＭＤ記録のための一番目の領域に前記生成した記録管理データを記録する（１１４０）。前記ＲＭＡは、ＤＶＤ−Ｒのようにリードインより内周側にあるＲ−情報領域に割り当てられてもよく、リードインの記録可能な領域に割り当てられてもよい。
【００９６】
図１２は、本発明によって記録モード情報を各ボーダーの初期化時に記録する方法を示すフローチャートである。
【００９７】
マルチボーダーとして使われるディスクの各ボーダーの開始時点で、ホストは、現在のボーダーの記録モードを決定する（１２００）。ディスク初期化時と同様に、ユーザは、ホストが提供する多様なインターフェースを介してこのディスクの現在のボーダーに使用しようとする記録モードを決定する。
【００９８】
ホストは、決定された記録モードによるボーダー初期化命令をドライブに伝送する（１２１０）。
【００９９】
その後、ドライブは、記録モードによって記録管理データ（ＲＭＤ）を生成する（１２２０）。各ボーダーによって記録モードが決定されることを示す記録管理データの例は、図７ないし図９を参照して説明した。
【０１００】
次に、ドライブは、ディスクに設けられた記録管理領域のＲＭＤ記録のための次の記録可能領域に、生成された記録管理データを記録する（１２３０）。
【０１０１】
前述したような記録または再生方法は、また、コンピュータで読み取り可能な記録媒体にコンピュータ可読コードとして具現することが可能である。コンピュータで読み取り可能な記録媒体は、コンピュータシステムによって読み取られるデータが保存される全ての種類の記録装置を含む。コンピュータで読み取り可能な記録媒体の例としては、ＲＯＭ、ＲＡＭ、ＣＤ−ＲＯＭ、磁気テープ、フロッピー（登録商標）ディスク、光データ保存装置があり、また、キャリアウェーブ（例えば、インターネットを通じた伝送）状に具現されるものも含む。また、コンピュータで読み取り可能な記録媒体は、ネットワークに連結されたコンピュータシステムに分散され、分散方式でコンピュータ可読コードが保存され、かつ実行される。そして、前記記録または再生方法を具現するための機能的なプログラム、コード及びコードセグメントは、本発明が属する技術分野のプログラマーによって容易に推論される。
【０１０２】
以上、本発明についてその望ましい実施形態を中心に説明した。当業者は、本発明が本発明の本質的な特性から逸脱しない範囲で変形された形態で具現されるということが分かるであろう。したがって、開示された実施形態は、限定的な観点でなく、説明的な観点で考慮されねばならない。本発明の範囲は、前述した説明でなく、特許請求の範囲に現れており、それと同等な範囲内にある全ての差異点は、本発明に含まれていると解釈されねばならない。
【図面の簡単な説明】
【０１０３】
【図１】従来技術によるＬＯＷによる代替を説明するための参考図である。
【図２】本発明による記録／再生装置の概略図である。
【図３】図２に示す記録／再生装置の細部的なブロック図である。
【図４】本発明が適用される情報記録媒体のマルチボーダー概念を説明するための情報記録媒体の構造図である。
【図５】本発明が適用される情報記録媒体の記録管理領域（ＲＭＡ）の構造を説明するための構造図である。
【図６】本発明の一例によるＲＭＤフォーマットである。
【図７】本発明の他の例によるＲＭＤフォーマットである。
【図８】図７に示す例に適用されるＲＭＤの記録の一例である。
【図９】図７に示す例に適用されるＲＭＤの記録の他の例である。
【図１０】本発明によって記録モード情報をディスクの製造時に記録する方法の一例を示すフローチャートである。
【図１１】本発明によって記録モード情報をディスク初期化時に記録する方法を示すフローチャートである。
【図１２】本発明によって記録モード情報を各ボーダーの初期化時に記録する方法を示すフローチャートである。
【図１】
2008533640.tif 000003
【図２】
2008533640.tif 000004
【図３】
2008533640.tif 000005
【図４】
2008533640.tif 000006
【図５】
2008533640.tif 000007
【図６】
2008533640.tif 000008
【図７】
2008533640.tif 000009
【図８】
2008533640.tif 000010
【図９】
2008533640.tif 000011
【図１０】
2008533640.tif 000012
【図１１】
2008533640.tif 000013
【図１２】
2008533640.tif 000014
【国際調査報告】
2008533640.tif 000015
2008533640.tif 000016